(57)【要約】【課題】本発明は使い捨てドリンクカップを開示した。【解決手段】カップ主体を含み、第二蓋を回転させて細プラスチックブロックを捩じ切り、第二蓋が回転軸とネジスリーブとを連動させて回転させ、ネジスリーブがネジ山による結合を通じてネジ軸を連動させて下へ移動させ、回転軸とネジスリーブとが連結ロッドと、連結板と、攪拌ロッドとを連動させて回転させ、置かれたプロテインパウダーの保存の密封性が高く、且つ置かれるプロテインパウダーの量を制御でき、摂取しすぎることを防止でき、攪拌できるボールを有し、水とプロテインパウダーとを十分に混合することに便利を与え、ドリンクとして販売でき、スポーツジムに行く時にコップとプロテインパウダーの缶詰を携帯する必要がない。【選択図】図１
2020172331.tif 000002
【特許請求の範囲】
【請求項１】
カップ主体を含み、前記カップ主体の中にはカップチャンバが設置され、前記カップチャンバの中に浄水を貯蔵することができ、前記カップチャンバの頂壁には前記カップ主体の頂部端面を貫通している置き筒が設置され、前記置き筒の中にはプロテインパウダーを置くプロテインパウダー貯蔵部品が設置され、前記プロテインパウダー貯蔵部品は前記置き筒の中の上下に貫通している置きチャンバを含み、前記置きチャンバの中にプロテインパウダーを置くことができ、前記置き筒の外側にはリミットリングが設置され、前記リミットリングの外側には第二蓋が回転できるように装着され、前記第二蓋の底部端面には回転軸が設置され、前記置き筒の底部端面には下へ開口した閉塞板溝が設置され、前記閉塞板溝のところには第一閉塞板が設置され、前記第二蓋の回転のもとで前記第一閉塞板を連動させて下へ移動させて前記置きチャンバの中のプロテインパウダーを出し、前記カップチャンバの頂壁にはボール筒が設置され、前記ボール筒の中には上へ開口したボールチャンバが設置され、前記カップ主体の頂部端面には弾力筒が設置され、前記弾力筒と前記ボール筒との間には攪拌を助けることができるボール貯蔵装置が設置され、前記ボール貯蔵装置は、前記弾力筒の中に位置しており、且つ前記ボールチャンバと連通するように設置されている上へ開口した弾力チャンバを含み、前記ボールチャンバの中には押しブロックがスライドできるように装着され、前記ボールチャンバの中には攪拌ボールが設置され、前記押しブロックを押すことにより前記攪拌ボールを前記カップチャンバの中に入れ、前記カップチャンバの右側壁には前記カップチャンバの中の混合液を飲むことができる水飲み部品が設置され、前記弾力筒の外側には第一蓋がネジ山により装着され、前記弾力筒と前記置き筒の外側端面にはプラスチックリングが設置され、前記プラスチックリングと前記第一蓋との間及び前記プラスチックリングと前記第二蓋との間にはそれぞれ細プラスチックブロックが設置されていることを特徴とする使い捨てドリンクカップ。
【請求項２】
前記プロテインパウダー貯蔵部品はまた前記回転軸の外側に固定的に装着されているネジスリーブを含み、前記ネジスリーブの中にはネジ軸がネジ山により装着され、前記ネジ軸が前記第一閉塞板の頂部端面と連結され、前記閉塞板溝の頂壁には均一に分布されている四つのヒンジピンが設置され、前記第一閉塞板が前記ヒンジピンとスライドできるように連結され、前記回転軸と前記ネジスリーブの外側端面には左右対称の連結ロッドが設置され、前記連結ロッドの端部には連結板が連結され、前記連結板の端面には均一に分布されている攪拌ロッドが設置され、前記攪拌ロッドが前記置きチャンバの端面と接触し、前記第二蓋を回転させて前記細プラスチックブロックを捩じ切り、前記第二蓋が前記回転軸と前記ネジスリーブとを連動させて回転させ、前記ネジスリーブがネジ山による結合を通じて前記ネジ軸を連動させて下へ移動させ、前記回転軸と前記ネジスリーブとが前記連結ロッドと、前記連結板と、前記攪拌ロッドとを連動させて回転させ、前記攪拌ロッドと前記置きチャンバの内壁との接触が壁に付着しているプロテインパウダーと前記置きチャンバにあるプロテインパウダーを攪拌して分散させ、前記カップ主体を揺らしてプロテインパウダーを前記カップ主体の中に振り込むことを特徴とする請求項１に記載の使い捨てドリンクカップ。
【請求項３】
前記ボール貯蔵装置はまた前記押しブロックの中に位置している下へ開口した空きチャンバを含み、前記空きチャンバの頂壁には押し軸が設置され、前記ボールチャンバの底壁には下へ開口した開口が設置され、前記開口の中には第二閉塞板が設置され、前記第二閉塞板の外側にはプラスチック薄ブロックが設置され、前記プラスチック薄ブロックが前記開口の内壁と連結され、前記第二閉塞板の左側端面にはプラスチック連結ブロックが設置され、前記プラスチック連結ブロックが前記開口の左側壁と連結され、前記押し軸が前記第二閉塞板と接触し、前記押し軸の左側端面には押し板が設置され、前記押しブロックの外側には遮りリングが設置され、前記遮りリングと前記弾力チャンバの底壁との間にはばねが設置され、前記第一蓋を回転させて前記細プラスチックブロックを捩じ切り、前記第一蓋を取り出した後で前記押しブロックを押して前記押し軸を連動させて下へ移動させ、前記押し軸が前記第二閉塞板を推し動かすことにより前記プラスチック薄ブロックが切り離され、同時に前記押し板が前記攪拌ボールを押して下へ移動させ、前記攪拌ボールを前記カップチャンバの中に押して入らせ、前記第二閉塞板と前記プラスチック薄ブロックとが前記プラスチック連結ブロックと前記開口との連結により前記カップチャンバの中に落ちなく、前記第一蓋を閉め、前記カップチャンバを揺らすことにより前記攪拌ボールが前記カップチャンバの中で転がって攪拌することを特徴とする請求項１に記載の使い捨てドリンクカップ。
【請求項４】
前記水飲み部品は前記カップチャンバの右側壁に位置している水吸いブロックを含み、前記水吸いブロックの中には前記水吸いブロックの両側を貫通している連通溝が設置され、前記連通溝の内壁の間には密封ブロックが設置され、前記密封ブロックには引きリングが連結され、前記水吸いブロックの外側には熱収縮膜が設置され、前記熱収縮膜を剥ぎ、前記引きリングにより前記密封ブロックを引き出し、前記水吸いブロックを使用して前記カップチャンバの中のプロテインパウダードリンクを飲むことができることを特徴とする請求項１に記載の使い捨てドリンクカップ。
【発明の詳細な説明】
【技術分野】
【０００１】
本発明はドリンクカップ分野を取り上げて、具体的には使い捨てドリンクカップである。
【背景技術】
【０００２】
運動をするたくさんの人たちはプロテインパウダーを使用して体にタンパク質を補給し、しかし、プロテインパウダーの量を正確に制御できなく、プロテインパウダーを摂取しすぎるのはいいことではなく、一般的にプロテインパウダーとプロテインパウダーを入れるコップを持ってスポーツジムに行く時、かなりスペースを取り、直接にプロテインパウダーを入れてそれを持ってスポーツジムに行っても飲む前にむらのないように掻き混ぜる必要があり、また多くのプロテインパウダーの缶詰の容積が大きく、タイムリーに飲まないと賞味期限が切れてしまう。
【先行技術文献】
【特許文献】
【０００３】
【特許文献１】中国特許出願公開第１０６５３９４２０号明細書
【発明の概要】
【発明が解決しようとする課題】
【０００４】
本発明は使い捨てドリンクカップを提供し、従来技術における上記欠点を解消することを目的とする。
【課題を解決するための手段】
【０００５】
本発明の実施例の使い捨てドリンクカップは、カップ主体を含み、前記カップ主体の中にはカップチャンバが設置され、前記カップチャンバの中に浄水を貯蔵することができ、前記カップチャンバの頂壁には前記カップ主体の頂部端面を貫通している置き筒が設置され、前記置き筒の中にはプロテインパウダーを置くプロテインパウダー貯蔵部品が設置され、前記プロテインパウダー貯蔵部品は前記置き筒の中の上下に貫通している置きチャンバを含み、前記置きチャンバの中にプロテインパウダーを置くことができ、前記置き筒の外側にはリミットリングが設置され、前記リミットリングの外側には第二蓋が回転できるように装着され、前記第二蓋の底部端面には回転軸が設置され、前記置き筒の底部端面には下へ開口した閉塞板溝が設置され、前記閉塞板溝のところには第一閉塞板が設置され、前記第二蓋の回転のもとで前記第一閉塞板を連動させて下へ移動させて前記置きチャンバの中のプロテインパウダーを出し、前記カップチャンバの頂壁にはボール筒が設置され、前記ボール筒の中には上へ開口したボールチャンバが設置され、前記カップ主体の頂部端面には弾力筒が設置され、前記弾力筒と前記ボール筒との間には攪拌を助けることができるボール貯蔵装置が設置され、前記ボール貯蔵装置は、前記弾力筒の中に位置しており、且つ前記ボールチャンバと連通するように設置されている上へ開口した弾力チャンバを含み、前記ボールチャンバの中には押しブロックがスライドできるように装着され、前記ボールチャンバの中には攪拌ボールが設置され、前記押しブロックを押すことにより前記攪拌ボールを前記カップチャンバの中に入れ、前記カップチャンバの右側壁には前記カップチャンバの中の混合液を飲むことができる水飲み部品が設置され、前記弾力筒の外側には第一蓋がネジ山により装着され、前記弾力筒と前記置き筒の外側端面にはプラスチックリングが設置され、前記プラスチックリングと前記第一蓋との間及び前記プラスチックリングと前記第二蓋との間にはそれぞれ細プラスチックブロックが設置されている。
【０００６】
更の技術プランとしては、前記プロテインパウダー貯蔵部品はまた前記回転軸の外側に固定的に装着されているネジスリーブを含み、前記ネジスリーブの中にはネジ軸がネジ山により装着され、前記ネジ軸が前記第一閉塞板の頂部端面と連結され、前記閉塞板溝の頂壁には均一に分布されている四つのヒンジピンが設置され、前記第一閉塞板が前記ヒンジピンとスライドできるように連結され、前記回転軸と前記ネジスリーブの外側端面には左右対称の連結ロッドが設置され、前記連結ロッドの端部には連結板が連結され、前記連結板の端面には均一に分布されている攪拌ロッドが設置され、前記攪拌ロッドが前記置きチャンバの端面と接触している。
【０００７】
更の技術プランとしては、前記ボール貯蔵装置はまた前記押しブロックの中に位置している下へ開口した空きチャンバを含み、前記空きチャンバの頂壁には押し軸が設置され、前記ボールチャンバの底壁には下へ開口した開口が設置され、前記開口の中には第二閉塞板が設置され、前記第二閉塞板の外側にはプラスチック薄ブロックが設置され、前記プラスチック薄ブロックが前記開口の内壁と連結され、前記第二閉塞板の左側端面にはプラスチック連結ブロックが設置され、前記プラスチック連結ブロックが前記開口の左側壁と連結され、前記押し軸が前記第二閉塞板と接触し、前記押し軸の左側端面には押し板が設置され、前記押しブロックの外側には遮りリングが設置され、前記遮りリングと前記弾力チャンバの底壁との間にはばねが設置されている。
【０００８】
更の技術プランとしては、前記水飲み部品は前記カップチャンバの右側壁に位置している水吸いブロックを含み、前記水吸いブロックの中には前記水吸いブロックの両側を貫通している連通溝が設置され、前記連通溝の内壁の間には密封ブロックが設置され、前記密封ブロックには引きリングが連結され、前記水吸いブロックの外側には熱収縮膜が設置されている。
【発明の効果】
【０００９】
本発明の有益効果は：本発明は構成が簡単で、操作が便利で、置かれたプロテインパウダーの保存の密封性が高く、且つ置かれるプロテインパウダーの量を制御でき、摂取しすぎることを防止でき、攪拌できるボールを有し、水とプロテインパウダーとを十分に混合することに便利を与え、ドリンクとして販売でき、スポーツジムに行く時にコップとプロテインパウダーの缶詰を携帯する必要がなく、普及する価値がある。
【図面の簡単な説明】
【００１０】
【図１】図１は本発明の全体構成模式図
【図２】図２は図１の中のＡにおける拡大模式図
【図３】図３は図１の中のＢにおける拡大模式図
【図４】図４は図１の中のＣにおける拡大模式図
【図５】図５はプロテインパウダー貯蔵部品が使用される時の構成模式図
【図６】図６はボール貯蔵装置が使用された後の構成模式図
【発明を実施するための形態】
【００１１】
以下に図１〜６を交えて本発明について詳しく説明する。便利に叙述するために、後文に出る方位を下記の通りに規定する：後文に出る上下左右前後方向は図１本体の投影関係の上下左右前後方向と一致する。
【００１２】
図１〜６を参照し、本発明の使い捨てドリンクカップは、カップ主体１０を含み、前記カップ主体１０の中にはカップチャンバ１１が設置され、前記カップチャンバ１１の中に浄水を貯蔵することができ、前記カップチャンバ１１の頂壁には前記カップ主体１０の頂部端面を貫通している置き筒１３が設置され、前記置き筒１３の中にはプロテインパウダーを置くプロテインパウダー貯蔵部品９０１が設置され、前記プロテインパウダー貯蔵部品９０１は前記置き筒１３の中の上下に貫通している置きチャンバ１５を含み、前記置きチャンバ１５の中にプロテインパウダーを置くことができ、前記置き筒１３の外側にはリミットリング１４が設置され、前記リミットリング１４の外側には第二蓋１２が回転できるように装着され、前記第二蓋１２の底部端面には回転軸２６が設置され、前記置き筒１３の底部端面には下へ開口した閉塞板溝２４が設置され、前記閉塞板溝２４のところには第一閉塞板２２が設置され、前記第二蓋１２の回転のもとで前記第一閉塞板２２を連動させて下へ移動させて前記置きチャンバ１５の中のプロテインパウダーを出し、前記カップチャンバ１１の頂壁にはボール筒３６が設置され、前記ボール筒３６の中には上へ開口したボールチャンバ４９が設置され、前記カップ主体１０の頂部端面には弾力筒２８が設置され、前記弾力筒２８と前記ボール筒３６との間には攪拌を助けることができるボール貯蔵装置９０２が設置され、前記ボール貯蔵装置９０２は、前記弾力筒２８の中に位置しており、且つ前記ボールチャンバ４９と連通するように設置されている上へ開口した弾力チャンバ３０を含み、前記ボールチャンバ４９の中には押しブロック３２がスライドできるように装着され、前記ボールチャンバ４９の中には攪拌ボール４４が設置され、前記押しブロック３２を押すことにより前記攪拌ボール４４を前記カップチャンバ１１の中に入れ、前記カップチャンバ１１の右側壁には前記カップチャンバ１１の中の混合液を飲むことができる水飲み部品９０３が設置され、前記弾力筒２８の外側には第一蓋２７がネジ山により装着され、前記弾力筒２８と前記置き筒１３の外側端面にはプラスチックリング１６が設置され、前記プラスチックリング１６と前記第一蓋２７との間及び前記プラスチックリング１６と前記第二蓋１２との間にはそれぞれ細プラスチックブロック２９が設置されている。
【００１３】
前記プロテインパウダー貯蔵部品９０１はまた前記回転軸２６の外側に固定的に装着されているネジスリーブ２０を含み、前記ネジスリーブ２０の中にはネジ軸２１がネジ山により装着され、前記ネジ軸２１が前記第一閉塞板２２の頂部端面と連結され、前記閉塞板溝２４の頂壁には均一に分布されている四つのヒンジピン２３が設置され、前記第一閉塞板２２が前記ヒンジピン２３とスライドできるように連結され、前記回転軸２６と前記ネジスリーブ２０の外側端面には左右対称の連結ロッド２５が設置され、前記連結ロッド２５の端部には連結板１７が連結され、前記連結板１７の端面には均一に分布されている攪拌ロッド１８が設置され、前記攪拌ロッド１８が前記置きチャンバ１５の端面と接触し、これにより置きチャンバ１５の中のプロテインパウダーを放出する時、第二蓋１２を回転させて細プラスチックブロック２９を捩じ切り、第二蓋１２が回転軸２６とネジスリーブ２０とを連動させて回転させ、ネジスリーブ２０がネジ山による結合を通じてネジ軸２１を連動させて下へ移動させ、回転軸２６とネジスリーブ２０とが連結ロッド２５と、連結板１７と、攪拌ロッド１８とを連動させて回転させ、攪拌ロッド１８と置きチャンバ１５の内壁との接触が壁に付着しているプロテインパウダーと置きチャンバ１５にあるプロテインパウダーを攪拌して分散させ、カップ主体１０を揺らしてプロテインパウダーをカップ主体１０の中に振り込む。
【００１４】
前記ボール貯蔵装置９０２はまた前記押しブロック３２の中に位置している下へ開口した空きチャンバ３３を含み、前記空きチャンバ３３の頂壁には押し軸３５が設置され、前記ボールチャンバ４９の底壁には下へ開口した開口４０が設置され、前記開口４０の中には第二閉塞板４１が設置され、前記第二閉塞板４１の外側にはプラスチック薄ブロック４２が設置され、前記プラスチック薄ブロック４２が前記開口４０の内壁と連結され、前記第二閉塞板４１の左側端面にはプラスチック連結ブロック４３が設置され、前記プラスチック連結ブロック４３が前記開口４０の左側壁と連結され、前記押し軸３５が前記第二閉塞板４１と接触し、前記押し軸３５の左側端面には押し板３７が設置され、前記押しブロック３２の外側には遮りリング３１が設置され、前記遮りリング３１と前記弾力チャンバ３０の底壁との間にはばね３４が設置され、これによりプロテインパウダーをカップチャンバ１１の中に振り込んだ後、第一蓋２７を回転させて細プラスチックブロック２９を捩じ切り、第一蓋２７を取り出した後で押しブロック３２を押して押し軸３５を連動させて下へ移動させ、押し軸３５が第二閉塞板４１を推し動かすことによりプラスチック薄ブロック４２が切り離され、同時に押し板３７が攪拌ボール４４を押して下へ移動させ、攪拌ボール４４をカップチャンバ１１の中に押して入らせ、第二閉塞板４１とプラスチック薄ブロック４２とがプラスチック連結ブロック４３と開口４０との連結によりカップチャンバ１１の中に落ちなく、第一蓋２７を閉め、カップチャンバ１１を揺らすことにより攪拌ボール４４がカップチャンバ１１の中で転がって攪拌し、プロテインパウダーが水での溶解を促す。
【００１５】
前記水飲み部品９０３は前記カップチャンバ１１の右側壁に位置している水吸いブロック４５を含み、前記水吸いブロック４５の中には前記水吸いブロック４５の両側を貫通している連通溝４７が設置され、前記連通溝４７の内壁の間には密封ブロック４８が設置され、前記密封ブロック４８には引きリング５０が連結され、前記水吸いブロック４５の外側には熱収縮膜４６が設置され、これによりプロテインパウダーが水での溶解が完成した後、熱収縮膜４６を剥ぎ、引きリング５０により密封ブロック４８を引き出し、水吸いブロック４５を使用してカップチャンバ１１の中のプロテインパウダードリンクを飲むことができる。
【００１６】
使用する時、第二蓋１２を回転させて細プラスチックブロック２９を捩じ切り、第二蓋１２が回転軸２６とネジスリーブ２０とを連動させて回転させ、ネジスリーブ２０がネジ山による結合を通じてネジ軸２１を連動させて下へ移動させ、回転軸２６とネジスリーブ２０とが連結ロッド２５と、連結板１７と、攪拌ロッド１８とを連動させて回転させ、攪拌ロッド１８と置きチャンバ１５の内壁との接触が壁に付着しているプロテインパウダーと置きチャンバ１５にあるプロテインパウダーを攪拌して分散させ、カップ主体１０を揺らしてプロテインパウダーをカップ主体１０の中に振り込み、第一蓋２７を回転させて細プラスチックブロック２９を捩じ切り、第一蓋２７を取り出した後で押しブロック３２を押して押し軸３５を連動させて下へ移動させ、押し軸３５が第二閉塞板４１を推し動かすことによりプラスチック薄ブロック４２が切り離され、同時に押し板３７が攪拌ボール４４を押して下へ移動させ、攪拌ボール４４をカップチャンバ１１の中に押して入らせ、第二閉塞板４１とプラスチック薄ブロック４２とがプラスチック連結ブロック４３と開口４０との連結によりカップチャンバ１１の中に落ちなく、第一蓋２７を閉め、カップチャンバ１１を揺らすことにより攪拌ボール４４がカップチャンバ１１の中で転がって攪拌し、プロテインパウダーが水での溶解を促し、引きリング５０により密封ブロック４８を引き出し、水吸いブロック４５を使用してカップチャンバ１１の中のプロテインパウダードリンクを飲むことができる。
【００１７】
本発明の有益効果は：本発明は構成が簡単で、操作が便利で、置かれたプロテインパウダーの保存の密封性が高く、且つ置かれるプロテインパウダーの量を制御でき、摂取しすぎることを防止でき、攪拌できるボールを有し、水とプロテインパウダーとを十分に混合することに便利を与え、ドリンクとして販売でき、スポーツジムに行く時にコップとプロテインパウダーの缶詰を携帯する必要がなく、普及する価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020172331.tif 000003
【図２】
2020172331.tif 000004
【図３】
2020172331.tif 000005
【図４】
2020172331.tif 000006
【図５】
2020172331.tif 000007
【図６】
2020172331.tif 000008